【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
上り信号及び下り信号の送受信を時分割で切り替えて通信を行う際の送受信切替タイミングが相互に独立している複数の基地局システムに対応して設けられ、対応する前記基地局システムからの無線信号をディジタル信号に変換して送信する複数の高周波ユニットと、前記高周波ユニットから前記ディジタル信号を受信し、対応する子局装置を介して、移動通信端末装置との間の通信を行う親局装置と、を有し、前記移動通信端末装置と前記基地局システムとの間の通信の中継を行う通信中継システムであって、
前記親局装置は、前記ディジタル信号に基づいて、前記親局装置と各前記高周波ユニットとの間における前記送受信切替タイミングをそれぞれ検出するタイミング検出部と、前記基地局システムの同期保護状態をそれぞれ検出する保護状態検出部と、前記保護状態検出部の検出結果に基づいて、複数の前記送受信切替タイミングのうち同期保護状態がより優れた前記基地局システムに対応する送受信切替タイミングを基準送受信切替タイミングとして設定し、前記高周波ユニットに通知する設定部と、を備え、
前記高周波ユニットは、通知された前記基準送受信切替タイミングに合わせて送受信切替タイミングのずれを補正する補正部を備えた、
通信中継システム。
【請求項２】
前記設定部は、前記基準送受信切替タイミングに相当するタイミング信号を前記補正部に送信する、
請求項１記載の通信中継システム。
【請求項３】
上り信号及び下り信号の送受信を時分割で切り替えて通信を行う際の送受信切替タイミングが相互に独立している複数の基地局システムと、移動通信端末装置と、の間で通信の中継を行う通信中継システムであって、
複数の前記送受信切替タイミングのうち同期保護状態がより優れた前記基地局システムに対応する送受信切替タイミングを基準送受信切替タイミングとして設定する設定部と、
前記基準送受信切替タイミングに合わせて前記複数の基地局システムとの間における送受信切替タイミングのずれを補正する補正部と、
を備えた通信中継システム。
【請求項４】
前記送受信切替タイミングをそれぞれ検出するタイミング検出部と、
前記基地局システムの同期保護状態をそれぞれ検出する保護状態検出部と、
を備えた、請求項３記載の通信中継システム。
【請求項５】
親局装置と、前記複数の基地局システムのそれぞれからの信号をディジタル信号に変換して前記親局装置に送信する複数の高周波ユニットと、を備え、
前記親局装置は、前記タイミング検出部、前記保護状態検出部及び前記設定部を有し、
前記高周波ユニットは、前記補正部を有する、
請求項４記載の通信中継システム。
【請求項６】
前記タイミング検出部は、前記送受信切替タイミングとして、前記高周波ユニットとの間における送受信切替タイミングを検出する、
請求項５記載の通信中継システム。
【請求項７】
前記補正部は、前記親局装置と前記高周波ユニットとの間の伝送遅延量を考慮して、前記補正を行う、
請求項６記載の通信中継システム。
【請求項８】
前記設定部は、前記基準送受信切替タイミングに相当するタイミング信号を前記補正部に送信する、
請求項５乃至請求項７のいずれか一項に記載の通信中継システム。
【請求項９】
上り信号及び下り信号の送受信を時分割で切り替えて通信を行う際の送受信切替タイミングが相互に独立している複数の基地局システムに対応して設けられ、対応する前記基地局システムからの無線信号をディジタル信号に変換して送信する複数の高周波ユニットと、前記高周波ユニットから前記ディジタル信号を受信し、対応する子局装置を介して、移動通信端末装置との間の通信を行う親局装置と、を有し、前記移動通信端末装置と前記基地局システムとの間の通信の中継を行う通信中継システムで実行される方法であって、
前記ディジタル信号に基づいて、前記親局装置と各前記高周波ユニットとの間における前記送受信切替タイミングをそれぞれ検出する過程と、
前記基地局システムの同期保護状態をそれぞれ検出する過程と、
前記同期保護状態の検出結果に基づいて、複数の前記送受信切替タイミングのうち同期保護状態がより優れた前記基地局システムに対応する送受信切替タイミングを基準送受信切替タイミングとして設定する過程と、
前記基準送受信切替タイミングに合わせて送受信切替タイミングのずれを補正する過程と、
を備えた方法。
【請求項１０】
上り信号及び下り信号の送受信を時分割で切り替えて通信を行う際の送受信切替タイミングが相互に独立している複数の基地局システムと、移動通信端末装置と、の間で通信の中継を行う通信中継システムで実行される方法であって、
複数の前記送受信切替タイミングのうち同期保護状態がより優れた前記基地局システムに対応する送受信切替タイミングを基準送受信切替タイミングとして設定する過程と、
前記基準送受信切替タイミングに合わせて前記複数の基地局システムとの間における送受信切替タイミングのずれを補正する過程と、
を備えた方法。
【手続補正２】
【補正対象書類名】明細書
【補正対象項目名】０００７
【補正方法】変更
【補正の内容】
【０００７】
本発明は、上記に鑑みてなされたものであって、例えば、異なる事業者の基地局間の時分割タイミングのずれを抑制し、サービス品質の向上及びサービスの継続性を確保することが可能な通信中継システム及び方法を提供することを目的としている。
【手続補正３】
【補正対象書類名】明細書
【補正対象項目名】０００８
【補正方法】変更
【補正の内容】
【０００８】
実施形態の通信中継システムは、上り信号及び下り信号の送受信を時分割で切り替えて通信を行う際の送受信切替タイミングが相互に独立している複数の基地局システムに対応して設けられ、対応する基地局システムからの無線信号をディジタル信号に変換して送信する複数の高周波ユニットと、高周波ユニットからディジタル信号を受信し、対応する子局装置を介して、移動通信端末装置との間の通信を行う親局装置と、を有し、移動通信端末装置と基地局システムとの間の通信の中継を行う通信中継システムである。
親局装置のタイミング検出部は、ディジタル信号に基づいて、親局装置と各高周波ユニットとの間における送受信切替タイミングをそれぞれ検出する。
保護状態検出部は、基地局システムの同期保護状態をそれぞれ検出する。
これにより設定部は、保護状態検出部の検出結果に基づいて、複数の送受信切替タイミングのうち同期保護状態がより優れた基地局システムに対応する送受信切替タイミングを基準送受信切替タイミングとして設定し、高周波ユニットに通知する。
高周波ユニットの補正部は、通知された基準送受信切替タイミングに合わせて送受信切替タイミングのずれを補正する。
【手続補正４】
【補正対象書類名】明細書
【補正対象項目名】００６１
【補正方法】変更
【補正の内容】
【００６１】
この結果、親局装置１３とＲＦＵ１２−１〜１２−６との間における送受信切替タイミングのうち、同期保護状態がより優れた基地局システムに対応する送受信切替タイミングに同期して送受信の切替を行えるので、異なる事業者間の時分割タイミングのずれを抑制し、サービス品質の向上及びサービスの継続性を確保することができる。
【手続補正５】
【補正対象書類名】明細書
【補正対象項目名】００６８
【補正方法】変更
【補正の内容】
【００６８】
そして、（１）の場合と同様に、時刻同期がなされている状態で、ＲＦＵ１２−１〜１２−６は、親局装置１３とＲＦＵ１２−１〜１２−６との間における送受信切替タイミングのうち、同期保護状態がより優れた基地局システムに対応する基準送受信切替タイミングに切替を行うように基準送受信切替タイミングに合わせて送受信切替タイミングのずれを補正するので、異なる事業者間の時分割タイミングのずれを抑制し、サービス品質の向上及びサービスの継続性を確保することができる。
【手続補正６】
【補正対象書類名】明細書
【補正対象項目名】００７２
【補正方法】変更
【補正の内容】
【００７２】
この状態で、親局装置１３は、親局装置１３とＲＦＵ１２−１〜１２−６との間における送受信切替タイミングのうち、同期保護状態がより優れた基地局システムに対応する送受信切替タイミングを基準送受信切替タイミングとして設定して、ＲＦＵ１２−１〜１２−６に通知する。したがって、親局装置１３とＲＦＵ１２−１〜１２−６との間における送受信切替タイミングのうち、同期保護状態がより優れた基地局システム１１−１〜１１−７に対応する送受信切替タイミングを基準送受信切替タイミングとして送受信切替タイミングのずれを補正することとなる。